(57)【要約】      （修正有）【課題】組立てや搬送の際の作業性を良好にできると共に、組立て足場全体の強度も高めることができる組立て足場用フレームを提供する。【解決手段】６００ｍｍ以上１８００ｍｍ以下の間隔Ｓを有して平行に配置され、高さＨが１６００ｍｍ以上２５００ｍｍ以下の対となるパイプ状の第１、第２の主柱部材１１，１２と、この各上部にその両端部が取付けられた横架部材１３と、第１の主柱部材１１と横架部材１３にその両端部が取付けられた第１の補強部材１４と、第２の主柱部材１２と横架部材１３にその両端部が取付けられた第２の補強部材１５とを有し、第１、第２の主柱部材１１，１２の上側及び下側に、梁部材の取付け脚、足場部材の取付け脚、又は筋交いの端に折れ曲がって設けられた取付け脚が上から嵌入して掛止可能な断面コ字状の取付け金具１６〜１８が設けられている。【選択図】図１
0003147148.tif 000002
【実用新案登録請求の範囲】
【請求項１】
６００ｍｍ以上１８００ｍｍ以下の間隔を有して平行に配置され、高さが１６００ｍｍ以上２５００ｍｍ以下の対となるパイプ状の第１、第２の主柱部材と、
前記第１、第２の主柱部材の上部にその両端部が取付けられた横架部材と、
前記第１の主柱部材と前記横架部材とに、その両端部が取付けられ、前記第１の主柱部材と前記横架部材との取付け角度を維持する第１の補強部材と、
前記第２の主柱部材と前記横架部材とに、その両端部が取付けられ、前記第２の主柱部材と前記横架部材との取付け角度を維持する第２の補強部材とを有し、
前記第１、第２の主柱部材の少なくとも上側及び下側に、梁部材の取付け脚、足場部材の取付け脚、又は筋交いの端に折れ曲がって設けられた取付け脚が上から嵌入して掛止可能な断面コ字状の取付け金具が設けられていることを特徴とする組立て足場用フレーム。
【請求項２】
請求項１記載の組立て足場用フレームにおいて、前記第１、第２の主柱部材の少なくとも上側及び下側には、それぞれ３個の前記取付け金具を有し、該３個の取付け金具は、同一高さ位置に１８０度位置に対向して設けられた対となる取付け金具と、該対となる取付け金具に対して９０度位置の上又は下に設けられた第３の取付け金具で構成され、しかも該第３の取付け金具の取付け箇所は、前記第１、第２の主柱部材への前記横架部材の取付け位置に対して反対側位置であることを特徴とする組立て足場用フレーム。
【請求項３】
請求項２記載の組立て足場用フレームにおいて、前記３個の取付け金具の群は、前記第１、第２の主柱部材の高さ方向に等ピッチで２箇所、３箇所、又は４箇所以上取付けられていることを特徴とする組立て足場用フレーム。
【請求項４】
請求項１〜３のいずれか１項に記載の組立て足場用フレームにおいて、前記第１、第２の主柱部材の上端部及び下端部には、他の柱部材を連結するジョイント部材、又は柱部材の下部に設けられているジョイント部が嵌め込み可能となっており、高さ方向に多段に連結可能であることを特徴とする組立て足場用フレーム。
【考案の詳細な説明】
【技術分野】
【０００１】
本考案は、建築現場等で使用する組立て足場用フレームに係り、更に詳細には、家屋等の低層建築物を工事（例えば、建築、補修）するに際し、その側方に組立てて使用する組立て足場のフレームに関する。
【背景技術】
【０００２】
従来、低層建築物の工事には、金属製の組立て足場（一側足場ともいう）が使用されている。
この組立て足場には、所定間隔で一列に立設する主柱部材と、この主柱部材にクランプによって固着されるブラケットと、隣り合うブラケット間に架け渡す足場板と、この足場板の上方の隣り合う主柱部材にクランプによって連結した手摺りを有するものがある（例えば、特許文献１参照）。
【０００３】
【特許文献１】実開昭６１−１４００３４号公報（第１図、第４図）
【考案の開示】
【考案が解決しようとする課題】
【０００４】
しかしながら、前記従来の組立て足場は、各部品が分離されており、組立てに際しては、各部品をクランプ等を用いて連結する必要があるため、組立ての際の作業性が悪く、組立てに時間を要していた。また、このように、組立て足場は、多くの部品が分離された構造であるため、これらを搬送する際には、手間を要していた。
なお、このように、各部品を連結して組立てる足場は、全体の強度を高めるため、隣り合う主柱部材に筋交いを入れることが好ましいが、従来の組立て足場には、筋交いを取付けるための手段がなかった。
【０００５】
本考案はかかる事情に鑑みてなされたもので、組立てや搬送の際の作業性を良好にできると共に、組立て足場全体の強度も高めることができる組立て足場用フレームを提供することを目的とする。
【課題を解決するための手段】
【０００６】
前記目的に沿う本考案に係る組立て足場用フレームは、６００ｍｍ以上１８００ｍｍ以下の間隔を有して平行に配置され、高さが１６００ｍｍ以上２５００ｍｍ以下の対となるパイプ状の第１、第２の主柱部材と、
前記第１、第２の主柱部材の上部にその両端部が取付けられた横架部材と、
前記第１の主柱部材と前記横架部材とに、その両端部が取付けられ、前記第１の主柱部材と前記横架部材との取付け角度を維持する第１の補強部材と、
前記第２の主柱部材と前記横架部材とに、その両端部が取付けられ、前記第２の主柱部材と前記横架部材との取付け角度を維持する第２の補強部材とを有し、
前記第１、第２の主柱部材の少なくとも上側及び下側に、梁部材の取付け脚、足場部材の取付け脚、又は筋交いの端に折れ曲がって設けられた取付け脚が上から嵌入して掛止可能な断面コ字状の取付け金具が設けられている。
【０００７】
本考案に係る組立て足場用フレームにおいて、前記第１、第２の主柱部材の少なくとも上側及び下側には、それぞれ３個の前記取付け金具を有し、該３個の取付け金具は、同一高さ位置に１８０度位置に対向して設けられた対となる取付け金具と、該対となる取付け金具に対して９０度位置の上又は下に設けられた第３の取付け金具で構成され、しかも該第３の取付け金具の取付け箇所は、前記第１、第２の主柱部材への前記横架部材の取付け位置に対して反対側位置であることが好ましい。
【０００８】
本考案に係る組立て足場用フレームにおいて、前記３個の取付け金具の群は、前記第１、第２の主柱部材の高さ方向に等ピッチで２箇所、３箇所、又は４箇所以上取付けられていることが好ましい。
【０００９】
本考案に係る組立て足場用フレームにおいて、前記第１、第２の主柱部材の上端部及び下端部には、他の柱部材を連結するジョイント部材、又は柱部材の下部に設けられているジョイント部が嵌め込み可能となっており、高さ方向に多段に連結可能であることが好ましい。
【考案の効果】
【００１０】
本考案に係る組立て足場用フレームは、第１、第２の主柱部材、横架部材、第１、第２の補強部材、及び取付け金具を一体構造で構成し、しかも梁部材、足場部材、又は筋交いの取付け脚を取付け金具に掛止できるので、組立て足場の組立てに際しては、クランプ等を用いる必要がない。このため、組立ての際の作業性が良好であり、また組立て時間の短縮も図れる。
また、このように、組立て足場を構成する部品の多くを一体構造とするため、これらを搬送する際の作業性も良好である。
更に、第１、第２の主柱部材には取付け金具が設けられているので、梁部材又は筋交いの取付け脚を容易に掛止でき、簡単な構成で組立て足場全体の強度を高めることができる。
【００１１】
また、３個の取付け金具を、同一高さ位置に１８０度位置に対向して設けられた対となる取付け金具と、これに対して９０度位置の上又は下に設けられた第３の取付け金具で構成する場合は、例えば、隣り合う主柱部材間に足場部材を取付ける際に、足場部材同士を互いに干渉させることなく、主柱部材間に水平に取付けることができる。
【００１２】
そして、３個の取付け金具の群を、第１、第２の主柱部材の高さ方向に等ピッチで取付ける場合は、梁部材、足場部材、又は筋交いの取付け高さ位置を、組立て足場の設置状況に応じて、容易に変更できる。
【００１３】
更に、第１、第２の主柱部材の上端部及び下端部に、他の柱部材を連結するジョイント部材、又は柱部材の下部に設けられているジョイント部が嵌め込み可能で、高さ方向に多段に連結可能である場合は、簡単な構成で、組立て足場の高さ調整ができる。
【考案を実施するための最良の形態】
【００１４】
続いて、添付した図面を参照しつつ、本考案を具体化した実施の形態につき説明し、本考案の理解に供する。
ここで、図１は本考案の一実施の形態に係る組立て足場用フレームの正面図、図２（Ａ）〜（Ｃ）はそれぞれ同組立て足場用フレームの主柱部材に設けられた取付け金具の平面図、正面図、側面図、図３は同組立て足場用フレームの使用状態の説明図、図４は同組立て足場用フレームの他の使用状態の説明図である。
【００１５】
図１〜図３に示すように、本考案の一実施の形態に係る組立て足場用フレーム（以下、単に足場用フレームともいう）１０は、間隔Ｓを有して平行に配置された対となるパイプ状の第１、第２の主柱部材１１、１２と、第１、第２の主柱部材１１、１２の上部にその両端部が取付けられた横架部材１３と、第１の主柱部材１１と横架部材１３とにその両端部が取付けられた第１の補強部材１４と、第２の主柱部材１２と横架部材１３とにその両端部が取付けられた第２の補強部材１５とを有し、第１、第２の主柱部材１１、１２にそれぞれ取付けられた３個の取付け金具１６〜１８の群とを有する。なお、上記した各主柱部材１１、１２、横架部材１３、及び各補強部材１４、１５は、機械構造用炭素鋼鋼管（ＳＴＫＭ）で構成されているが、これに限定されるものではない。以下、詳しく説明する。
【００１６】
各主柱部材１１、１２は、組立て足場を組立てるに際し、その下端部にベース金具（図示しない）を取付け、地面に対して立設するものであり、外径が４０ｍｍ以上６０ｍｍ以下（本実施の形態では、４８．６ｍｍ）の範囲内のものである。
この各主柱部材１１、１２の高さ（全長）Ｈは、１６００ｍｍ以上２５００ｍｍ以下（好ましくは、下限が１７００ｍｍ、上限が２０００ｍｍ）の範囲内である。
各主柱部材１１、１２の上部、例えば各主柱部材１１、１２の上端から、５ｍｍ以上１００ｍｍ以下の範囲内には、横架部材１３の両端部がそれぞれ溶接で固定され、各主柱部材１１、１２の間隔Ｓ（横架部材１３の長さ）が、６００ｍｍ以上１８００ｍｍ以下（好ましくは、下限が７００ｍｍ、上限が１５００ｍｍ、更には１２００ｍｍ）となっている。
【００１７】
第１の補強部材１４は、Ｊ字状（逆向きＬ字状）となった主補助部１９と、横架部材１３とは平行に配置され、その両端部が主補助部１９と主柱部材１１にそれぞれ溶接で固定された水平補助部２０とで構成されている。また、第２の補助部材１５も、逆向きＪ字状（Ｌ字状）となった主補助部２１と、横架部材１３とは平行に配置され、その両端部が主補助部２１と主柱部材１２にそれぞれ溶接で固定された水平補助部２２とで構成されている。
このように、各補強部材１４、１５は、同一形状となっており、対向配置されている。
なお、各補強部材１４、１５を構成する主補助部１９、２１の形状は、上記した形状に限定されるものではなく、例えば、直線状となって主柱部材と横架部材との間に斜めに取付けられるものでもよい。
【００１８】
ここで、補強部材１４（補助部材１５も同様）の主補助部１９の下端部を、主柱部材１１に取付ける位置は、主柱部材１１の上端から、主柱部材１１の高さＨの０．６倍以上０．８倍以下の範囲内である。また、主補助部１９の上端部を、横架部材１３に取付ける位置は、横架部材１３の端（主柱部材１１との接続位置）から、前記した間隔Ｓの０．１倍以上０．３倍以下の範囲内である。
そして、補強部材１４（補助部材１５も同様）の水平補助部２０の主柱部材１１への取付け箇所は、主柱部材１１と横架部材１３の接続部と、主柱部材１１と主補助部１９の接続部の中間位置である。
これにより、各主柱部材１１、１２と横架部材１３との取付け角度を、直角に維持できる。
【００１９】
主柱部材１１（主柱部材１２も同様）には、３個の取付け金具１６〜１８の群が、主柱部材１１の上側から下側へかけて、高さ方向に等ピッチで４箇所に、溶接により取付け固定されている。
図２（Ａ）〜（Ｃ）に示すように、対となる第１、第２の取付け金具１６、１７は、主柱部材１１の同一高さ位置に、主柱部材１１の軸心を中心として、１８０度開いた位置に対向して設けられ、第３の取付け金具１８は、対となる取付け金具１６、１７に対して９０度位置で、しかも各取付け金具１６、１７の高さより高い位置に取付けられている。この第３の取付け金具１８の取付け箇所は、主柱部材１１への横架部材１３及び補強部材１４の取付け位置に対して反対側位置（１８０度位置）である。
なお、第３の取付け金具１８は、第１、第２の取付け金具１６、１７よりも下方でもよい。
【００２０】
上記した取付け金具の群は、３個で構成しているが、１個、２個、又は４個（複数個）で構成してもよく、また各主柱部材の上側から下側へかけて、高さ方向に異なるピッチで取付けてもよい。更に、取付け金具の群は、各主柱部材の少なくとも上側と下側に取付けられていれば、高さ方向に、２箇所、３箇所、又は５箇所以上に取付けてもよい。
３個の取付け金具１６〜１８は、同一形状となって、鉄板を断面コ字状に折り曲げて形成されている。それぞれの折り曲げ側板部２３、２４は、下方へ向けてその幅が狭くなり、主柱部材１１（主柱部材１２も同様）と各取付け金具１６〜１８にそれぞれ囲まれて形成される各取付け空間部２５〜２７の平断面積が、下方に向けて小さくなっている。
なお、第１〜第３の取付け金具１６〜１８の高さ（縦方向の長さ）は、本実施の形態では、４０〜４５ｍｍ程度、外幅（横幅）は３８〜４５ｍｍ程度である。
【００２１】
対となる取付け金具１６、１７には、図３に示すように、梁部材２８の取付け脚２９、３０が、それぞれ上から嵌入して掛止可能となっている。
ここで、梁部材２８とは、組立て足場を補強する梁の役割を有するものであり、パイプ（鉄板を折り曲げてもよい）又は丸棒からなる直線材３１の両側端部に、取付け脚２９、３０が設けられている。この取付け脚２９、３０は、それぞれ第１、第２の取付け空間部２５、２６に密着嵌入するようになっている。
【００２２】
また、図３に示すように、異なる高さ位置にある取付け金具１６、１７には、筋交い３２の取付け脚３３、３４が、それぞれ上から嵌入して掛止可能となっている。
筋交い３２も梁部材２８と同様、パイプ又は丸棒からなる直線材３５の両側端部に、取付け脚３３、３４が折れ曲がって設けられている。なお、取付け脚３３、３４は、梁部材２８の取付け脚２９、３０と略同様の構成となっているが、異なる高さ位置にある取付け金具に取付ける必要があるため、直線材３５に対する取付け角度が、４０〜５０度の範囲内で固定、又はピンにより接合され可変となっている。
【００２３】
また、第１、第２の取付け金具１６、１７には、図４に示すように、足場部材３６の取付け脚３７、３８を、それぞれ上から嵌入して掛止可能としてもよい。
ここで、足場部材３６とは、作業者が載って作業又は移動するための金属製の足場であり、平面視して長方形の枠３９内に網４０が設けられたものである（例えば、実開昭６１−１４００３４号公報参照）。
なお、取付け脚３７、３８は、前記した梁部材２８の取付け脚２９、３０と略同様の構成となっており、枠３９の短辺中央部に設けているが、枠の短辺の手前側又は奥側位置に設けてもよい。
以上に示したように、各取付け脚２９、３０、３３、３４、３７、３８を、対となる第１、第２の取付け金具１６、１７に取付けた場合について説明したが、第３の取付け金具１８に取付けてもよい。
【００２４】
続いて、本考案の一実施の形態に係る組立て足場用フレーム１０の使用方法について説明する。
まず、準備した複数の組立て足場用フレーム１０の各主柱部材１１、１２の下端部に、ベース金具をそれぞれ取付け、図３、図４に示すように、各足場用フレーム１０が平行となるように間隔をあけて配置する。
そして、隣り合う組立て足場用フレーム１０の主柱部材１２間（主柱部材１１間でもよい）の第１、第２の取付け金具１６、１７の各取付け空間部２５、２６内に、目的に応じて、梁部材２８の取付け脚２９、３０、筋交い３２の取付け脚３３、３４、又は足場部材３６の取付け脚３７、３８を、それぞれ上から嵌入して掛止する。
【００２５】
なお、組立て足場の高さを調整するため、組立て足場用フレーム１０を、その高さ方向に多段（例えば、２段、３段、又は４段以上）に連結する場合は、上記した各主柱部材１１、１２の上端部に、ジョイント部材４１（図１に二点鎖線で示す）を嵌め込むのがよい。なお、ジョイント部材で連結する対象は、主柱部材でなく、他の柱部材でもよい。また、ジョイント部材を使用することなく、主柱部材又は他の柱部材の下部に設けられたジョイント部で転結してもよい。
ジョイント部材４１は、各主柱部材１１、１２と同一外径の拡径部４２と、その上下方向両側に設けられ、各主柱部材１１、１２内に嵌め込み可能な縮径部４３、４４とを有し、しかも各縮径部４３、４４には、その直径方向に貫通孔４５、４６が形成されたものである。なお、各主柱部材１１、１２の上端部には、ジョイント部材４１の下側の貫通孔４６と位置合わせしたピン挿入孔４７が、また下端部には、ジョイント部材４１の上側の貫通孔４５と位置合わせしたピン挿入孔４８が形成されている。
【００２６】
これにより、各主柱部材１１、１２の上端部に、ジョイント部材４１の下側の縮径部４４を嵌め込み、ピン挿入孔４７と貫通孔４６の位置合わせをしてピン（図示しない）を挿入し固定することで、下側の足場用フレーム１０の各主柱部材１１、１２にジョイント部材４１を装着することができる。
そして、このジョイント部４１の上側の縮径部４３に、上側に連結する足場用フレーム１０の各主柱部材１１、１２の下端部を嵌め込み、ピン挿入孔４８と貫通孔４５の位置合わせをしてピン（図示しない）を挿入し固定することで、組立て足場用フレーム１０を高さ方向に安定に連結できる。
従って、作業性よく、低層建築物の各種工事を実施できる。
【００２７】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案の組立て足場用フレームを構成する場合も本考案の権利範囲に含まれる。
また、前記実施の形態においては、理解を容易にするため、具体的数字を用いて説明したが、本考案の要旨を変更しない範囲で数値を変更することは自由である。
【図面の簡単な説明】
【００２８】
【図１】本考案の一実施の形態に係る組立て足場用フレームの正面図である。
【図２】（Ａ）〜（Ｃ）はそれぞれ同組立て足場用フレームの主柱部材に設けられた取付け金具の平面図、正面図、側面図である。
【図３】同組立て足場用フレームの使用状態の説明図である。
【図４】同組立て足場用フレームの他の使用状態の説明図である。
【符号の説明】
【００２９】
１０：組立て足場用フレーム、１１、１２：主柱部材、１３：横架部材、１４、１５：補強部材、１６〜１８：取付け金具、１９：主補助部、２０：水平補助部、２１：主補助部、２２：水平補助部、２３、２４：折り曲げ側板部、２５〜２７：取付け空間部、２８：梁部材、２９、３０：取付け脚、３１：直線材、３２：筋交い、３３、３４：取付け脚、３５：直線材、３６：足場部材、３７、３８：取付け脚、３９：枠、４０：網、４１：ジョイント部材、４２：拡径部、４３、４４：縮径部、４５、４６：貫通孔、４７、４８：ピン挿入孔
【図１】
0003147148.tif 000003
【図２】
0003147148.tif 000004
【図３】
0003147148.tif 000005
【図４】
0003147148.tif 000006